(57)【要約】  第１音響再生部と第２音響再生部とを有し、第１音響再生部は、円筒状の筐体部と、筐体部の一方の端部における端面を加振する加振部とを有し、第２音響再生部は、スピーカーユニットと、スピーカーユニットから再生される音の放射方向を変更するディフューザーとを有し、筐体部、スピーカーユニット及びディフューザーが、所定の軸に対して略同軸となるように配置されており、ディフューザーにより、スピーカーユニットから再生される音の放射方向が第１音響再生部による音の放射方向と略同一方向となるように構成されている音響再生装置である。図４
2020129443.tif 000002
【特許請求の範囲】
【請求項１】
第１音響再生部と第２音響再生部とを有し、
前記第１音響再生部は、
円筒状の筐体部と、
前記筐体部の一方の端部における端面を加振する加振部と
を有し、
前記第２音響再生部は、
スピーカーユニットと、
前記スピーカーユニットから再生される音の放射方向を変更するディフューザーと
を有し、
前記筐体部、前記スピーカーユニット及び前記ディフューザーが、所定の軸に対して略同軸となるように配置されており、
前記ディフューザーにより、前記スピーカーユニットから再生される音の放射方向が前記第１音響再生部による音の放射方向と略同一方向となるように構成されている
音響再生装置。
【請求項２】
前記第２音響再生部は、キャビネットを有し、
前記キャビネットは、先端キャビネットとメインキャビネットとが連続的に形成された形状を有し、
前記先端キャビネットの内部に、前記加振部が収容されると共に、前記筐体部の一方の端部が収容されており、
前記メインキャビネットの内部に、前記先端キャビネットの側から、前記ディフューザーと、前記スピーカーユニットとが収容されている
請求項１に記載の音響再生装置。
【請求項３】
前記ディフューザーは複数の開口部を有し、前記メインキャビネットは前記複数の開口部に連通する複数の開口部を有している
請求項２に記載の音響再生装置。
【請求項４】
前記メインキャビネットの内部に、前記所定の軸に対して略同軸上に配置されるパッシブラジエータが収容されており、当該パッシブラジエータが動作することにより生じる振動が、前記メインキャビネットの載置面に伝搬するように構成されている
請求項２に記載の音響再生装置。
【請求項５】
前記メインキャビネットの内部における前記載置面の近傍に金属板が収容されており、前記パッシブラジエータと前記金属板とが接続されている
請求項４に記載の音響再生装置。
【請求項６】
前記スピーカーユニットから再生される音の放射方向が、前記先端キャビネットに向かう側又は前記先端キャビネットが配置される側とは反対側となるように、前記メインキャビネットの内部に前記スピーカーユニットが収容されている
請求項２に記載の音響再生装置。
【請求項７】
前記筐体部が光透過性部材により構成されている
請求項１に記載の音響再生装置。
【請求項８】
前記筐体部内部における前記一方の端部付近に発光部が設けられている
請求項７に記載の音響再生装置。
【請求項９】
前記第１音響再生部及び前記第２音響再生部により再生される同一のオーディオ信号のうち、前記第１音響再生部に供給されるオーディオ信号を遅延させる遅延部を含む信号処理部を有する
請求項１に記載の音響再生装置。
【請求項１０】
前記信号処理部は、前記第１音響再生部に供給されるオーディオ信号の位相を補正する位相補正部を含む
請求項９に記載の音響再生装置。
【請求項１１】
前記スピーカーユニットは、
振動板と、
磁気ギャップを有する磁気回路と、
前記振動板に設けられたボイルコイル取付部に取り付けられるボビンと、
前記ボビンに巻回されるコイルと
を有する
請求項１に記載の音響再生装置。
【請求項１２】
前記加振部は、複数の振動素子を有する
請求項１に記載の音響再生装置。
【発明の詳細な説明】
【技術分野】
【０００１】
本開示は、音響再生装置に関する。
【背景技術】
【０００２】
様々な形状のスピーカー装置が提案されている。例えば、下記特許文献１には、載置面に対して鉛直方向（上下方向）に延在し、全体として略円筒形状であるスピーカー装置が記載されている。
【先行技術文献】
【特許文献】
【０００３】
【特許文献１】国際公開２０１６／１０３９３１号公報
【発明の概要】
【発明が解決しようとする課題】
【０００４】
このような分野では、スピーカー装置により再生される音の音質を向上させることが望まれる。【０００５】
したがって、本開示は、音質を向上させた音響再生装置を提供することを目的の一つとする。
【課題を解決するための手段】
【０００６】
本開示は、例えば、
第１音響再生部と第２音響再生部とを有し、
第１音響再生部は、
円筒状の筐体部と、
筐体部の一方の端部における端面を加振する加振部と
を有し、
第２音響再生部は、
スピーカーユニットと、
スピーカーユニットから再生される音の放射方向を変更するディフューザーと
を有し、
筐体部、スピーカーユニット及びディフューザーが、所定の軸に対して略同軸となるように配置されており、
ディフューザーにより、スピーカーユニットから再生される音の放射方向が第１音響再生部による音の放射方向と略同一方向となるように構成されている
音響再生装置である。
【図面の簡単な説明】
【０００７】
【図１】図１Ａ及び図１Ｂは、考慮すべき問題を説明する際に参照される図である。
【図２】図２は、実施の形態に係るスピーカー装置の全体構成例を示す図である。
【図３】図３は、実施の形態にかかる第１音響再生部の構成例を説明する際に参照される分解斜視図である。
【図４】図４は、実施の形態にかかるスピーカー装置の透視図である。
【図５】図５は、実施の形態にかかる第２音響再生部の構成例を説明する際に参照される分解斜視図である。
【図６】図６は、実施の形態にかかる信号処理部の構成例を示すブロック図である。
【図７】図７は、所定のインパルス信号を入力したときの応答（インパルス応答）を示すグラフである。
【図８】図８は、実施の形態の実施例における測定方法を説明するための図である。
【図９】図９Ａ及び図９Ｂは、周波数を一定とした再生音の角度毎の音圧レベルをグラフ化したものである。
【図１０】図１０は、実施の形態により得られる効果の一例を説明するための図である。
【図１１】図１１Ａ及び図１１Ｂは、実施の形態により得られる効果の一例を説明するための図である。
【発明を実施するための形態】
【０００８】
以下、本開示の実施の形態等について図面を参照しながら説明する。なお、説明は以下の順序で行う。
＜実施の形態＞
＜変形例＞
以下に説明する実施の形態等は本開示の好適な具体例であり、本開示の内容がこれらの実施の形態等に限定されるものではない。
なお、以下の説明では、据置型のスピーカー装置（音響再生装置）を例にして説明する。但し、本開示にかかるスピーカー装置は、据置型のスピーカー装置に限られることはなく、例えば、天井等から吊り下げられる吊下型のスピーカー装置やライトと一体的に構成されるスピーカー装置等として実現することも可能である。
また、説明の便宜を考慮して、図面に向かう方向を基準に上下左右等の方向を記載するが、それはあくまで例示であり、本開示の内容が例示された方向に限定されるものではない。
【０００９】
＜実施の形態＞
［考慮すべき問題］
始めに、本開示の理解を容易とするために、図１Ａ及び図１Ｂを参照して考慮すべき問題について説明する。なお、図１Ａ及び図１Ｂでは、スピーカー装置の構成に関する図示を適宜、簡略化している。
【００１０】
図１Ａは、一般的なスピーカー装置（スピーカー装置１Ａ）の全体的な構成を示している。スピーカー装置１Ａは、例えば、円筒状の振動板２Ａと、振動板２Ａを支持する支持体２Ｂと、支持体２Ｂ内に収容されるダイナミック型のスピーカーユニット２Ｃとを有する。また、スピーカー装置１Ａは、振動板２Ａ及び支持体２Ｂを支持する台座２Ｄを有し、台座２Ｄの底面が床、机、棚の上面等の適宜な平面に載置される。スピーカーユニット２Ｃは、例えば、音の放射方向が下側（載置面側）となるように収容されている。
【００１１】
スピーカー装置１Ａの振動板２Ａの下部に対して振動が付与されることにより振動板２Ａから音が再生される。例えば、振動板２Ａの振動により、高域（ツイーター）の音が再生される。また、スピーカーユニット２Ｃからは、下向きに音が再生される。スピーカーユニット２Ｃからは、例えば、中高域（ミッドレンジ）の音が再生される。図１Ａでは、再生音の放射方向が矢印によって模式的に示されている。スピーカー装置１Ａの構成では、図１Ａに示すように音の放射方向が帯域毎に異なる。このため、音のつながりに欠け、音質が低下する虞がある。従って、図１Ｂに模式的に示すように、振動板により再生される音の放射方向と、スピーカーユニットから再生される音の放射方向とが略同一となることが好ましい。以上の点を踏まえつつ、実施の形態について詳細に説明する。
【００１２】
［スピーカー装置の構成例］
（スピーカー装置の全体構成例）
図２は、実施の形態に係るスピーカー装置（スピーカー装置５）の構成例を示す図である。スピーカー装置５は、概略的には、第１音響再生部１０と、第２音響再生部２０とを有している。第１音響再生部１０は、円筒状の筐体部１１を有している。実施の形態にかかる筐体部１１は、光透過性部材により構成されている。光透過性部材としては、ガラス、より具体的には、有機ガラス管を挙げることができる。光透過性部材は、透明のものに限定されることなく、半透明等、所定の光透過率を有する部材であれば良い。
【００１３】
第２音響再生部２０は、キャビネット２１を有している。キャビネット２１は、メインキャビネット２１Ａ及び先端キャビネット２１Ｂを有している。メインキャビネット２１Ａは、全体として円錐台状の形状を有している。メインキャビネット２１Ａの底面が床、机等の平面に載置される載置面となっている。先端キャビネット２１Ｂは、メインキャビネット２１Ａの上面中央付近から上方向に延在しており、全体としては、中空の筒状の形状を有している。図２に示すように、先端キャビネット２１Ｂ内に、筐体部１１の一方の端部が挿入され、これにより、筐体部１１がキャビネット２１により支持される。
【００１４】
スピーカー装置５に対して入力されるオーディオ信号に応じて、筐体部１１に振動が付与されることにより筐体部１１が振動し、オーディオ信号に対応する音が再生される。音は、音楽、人の声、自然音等、何でも良い。メインキャビネット２１Ａ内には、後述するように、スピーカーユニットが収容されている。当該スピーカーユニットからもオーディオ信号に対応する音が再生される。筐体部１１の振動に応じて、例えば、高域の音が再生される。スピーカーユニットからは、中高音域の音が再生される。なお、筐体部１１の振動に応じて再生される音の帯域と、スピーカーユニットから再生される音の帯域とが同じ帯域でも良いし、一部が重なる帯域であっても良い。
【００１５】
（第１音響再生部の構成例）
次に、図３及び図４を参照して、第１音響再生部１０の構成例について説明する。図３は、第１音響再生部１０の構成例を説明する際に参照される、第１音響再生部１０等の分解斜視図である。なお、図３における矢印は、各構成の配置順序を示す矢印である（図５についても同様）。図４は、スピーカー装置５の各構成が一体化された状態を示す透視図である。
【００１６】
上述したように、第１音響再生部１０は、円筒形状の筐体部１１を有している。筐体部１１としては、ガラス、アクリル板等を適用することができる。本実施の形態では、筐体部１１として、厚さが２ｍｍ程度の有機ガラス管が用いられている。筐体部１１の一方の端面１０１Ａ（スピーカー装置５を載置した場合に下側に位置する端面）には、下方に突出する係止片が設けられている。本実施の形態では、円状の端面１０１Ａの周方向に略１２０度間隔で３個の係止片（係止片１０２Ａ、１０２Ｂ、１０２Ｃ）が設けられている。なお、個々の係止片を区別する必要がない場合は、係止片１０２と適宜、略称する。他の構成についても同様にして略称する場合がある。
【００１７】
筐体部１１の他方の端面１０１Ｂ側の開放端は、トップカバー１０５が取り付けられることにより閉塞される。トップカバー１０５は、筐体部１１に対してネジ、両面接着シート等の適宜な取付方法を使用して取り付けられる。
【００１８】
第１音響再生部１０は、順次配列される、透明の円筒形状のクリアケース１０６、ブリスタ１０７、アンテナ用のプリント基板１０８、発光部の発光を制御するＩＣ（Integrated Circuit）等が発光部制御基板１０９、発光部及び当該発光部を支持する発光部ホルダ１１０を有している。発光部としては、ＬＥＤ(Light Emitting Diode)や有機ＥＬ（Electro Luminescence）素子を適用することができる。発光部は、例えば、発光部ホルダ１１０の中央から上方に突出する突起部１１０Ａの先端付近に設けられる。各構成が組み立てられた状態で突起部１１０Ａは、ブリスタ１０７等の中央に設けられた孔部を貫通し、クリアケース１０６内に配置される。
【００１９】
また、第１音響再生部１０は、加振部１１１を有している。実施の形態にかかる加振部１１１は、例えば、３個の振動素子（振動素子１１２Ａ、１１２Ｂ、１１２Ｃ）を有している。振動素子１１２としては、例えば、積層型の圧電素子を適用することができる。振動素子１１２は、上下方向に延在する角柱状の形状を有しており、スピーカー装置５に入力されるオーディオ信号に応じて、適宜な駆動電圧（駆動信号）が印加されたときに上下方向に伸縮（変位）する。振動素子１１２は、先端キャビネット２１Ｂの内周面に形成された振動素子挿入孔に挿入される。振動素子１１２は、適宜なケースに収納されていても良い。
【００２０】
振動素子１１２の上端面が、筐体部１１の端面１０１Ａに当接する。例えば、振動素子１１２Ａの上端面が、係止片１０２Ａと係止片１０２Ｂとの間の端面１０１Ａに当接する。振動素子１１２Ｂの上端面が、係止片１０２Ｂと係止片１０２Ｃとの間の端面１０１Ａに当接する。振動素子１１２Ｃの端面が、係止片１０２Ｃと係止片１０２Ａとの間の端面１０１Ａに当接する。振動素子１１２の伸縮に応じて筐体部１１が振動し、当該振動により音が再生される。なお、振動素子１１２は、筐体部１１に対して振動を付与する構成であれば圧電素子以外の素子（例えば、磁歪素子）であっても良い。
【００２１】
また、加振部１１１は、振動素子１１２に電圧を印加する回路部を有している。実施の形態にかかる加振部１１１は、例えば、３個の振動素子１１２に対応するように、３個の駆動回路部（駆動回路部１１３Ａ、１１３Ｂ、１１３Ｃ）を有している。例えば、駆動回路部１１３Ａは振動素子１１２Ａに駆動電圧を供給し、駆動回路部１１３Ｂは振動素子１１２Ｂに駆動電圧を供給し、駆動回路部１１３Ｃは振動素子１１２Ｃに駆動電圧を供給する。
【００２２】
また、第１音響再生部１０は、弾性変形部１１５を有している。弾性変形部１１５は、例えば、スパイラル状の付勢バネである。弾性変形部１１５は、筐体部１１の係止片１０２Ａ〜１０２Ｃに対してネジ止め等により取り付けられている。筐体部１１は、弾性変形部１１５に取り付けられることにより、弾性変形部１１５の付勢力によって下方に付勢される。即ち、筐体部１１が弾性変形部１１５の付勢力によって振動素子１１２に押し付けられる方向へ付勢される。かかる構成により、弾性変形部１１５から均等な付勢力が筐体部１１の下側に付与され、筐体部１１が安定した状態で振動素子１１２に押し付けられ、筐体部１１の安定した振動状態を確保することができる。
【００２３】
図４に示すように、各構成が組み立てられた状態では、クリアケース１０６及びブリスタ１０７を筐体部１１内に視認することができる。振動素子１１２等の他の構成は先端キャビネット２１Ｂ内に収容される。なお、図４では図示していないが、クリアケース１０６内（筐体部１１の一方の端部付近）に配置された発光部が発光する。発光部を発光させないようにすることも可能である。発光部の発光の有無をモードとして設定できるようにしても良い。発光部を発光させることにより、蝋燭が灯っている態様でオーディオ信号の再生を行うことができる。発光部が設けられる突起部１１０Ａを揺らすように変位させることにより、蝋燭の灯が揺れているような態様も可能である。
【００２４】
（第２音響再生部の構成例）
次に、図４及び図５を参照して、第２音響再生部２０の構成例について説明する。図５は、第２音響再生部２０の構成例を説明する際に参照される、第２音響再生部２０の分解斜視図である。
【００２５】
上述したように、実施の形態にかかる第２音響再生部２０は、メインキャビネット２１Ａ及び先端キャビネット２１Ｂが連続的に形成されているキャビネット２１を有している。キャビネット２１は、例えば、亜鉛やアルミニウム等の金属材料により形成されている。本実施の形態にかかるキャビネット２１は、亜鉛により形成されている。一例として、キャビネット２１は、溶融した金属を金型に圧入して作製するダイカストと呼ばれる製造方法により作製される。
【００２６】
先端キャビネット２１Ｂの内周面には、係止片挿入孔２３及び振動素子挿入孔２４が形成されている。係止片挿入孔２３は、筐体部１１が有する係止片の数（本実施の形態では３個）に対応する数形成されている。振動素子挿入孔２４は、筐体部１１が有する振動素子１１２の数（本実施の形態では３個）に対応する数形成されている。係止片挿入孔２３に係止片１０２が挿入されると共に、振動素子挿入孔２４に振動素子１１２が挿入されることにより、筐体部１１の一方の端部が先端キャビネット２１Ｂにより支持される。
【００２７】
メインキャビネット２１Ａの内部空間には、ディフューザー２０１、バッフル板２０２、スピーカーユニット２０３、制御基板ブロック２０４、バッテリ２０５、バッテリ保持部２０６、パッシブラジエータ２０７、スペーサー２０８、制御基板２０９、カバー部材２１０、ＮＦＣ（Near field communication）基板２１１及び底面カバー２１２が、先端キャビネット２１Ｂ側から順次、収容される。
【００２８】
ディフューザー２０１は、リング形状を有する基部２１５を有しており、当該基部２１５の中央付近が頂点とされ、頂点から外方へ向かうに従って下方に変位する形状を有している。また、ディフューザー２０１は、頂点と基部２１５を連結する連結アームを有している。本実施の形態にかかるディフューザー２０１は、３個の連結アーム（連結アーム２１６Ａ、２１６Ｂ、２１６Ｃ）を有している。そして、ディフューザー２０１は、各連結アームにより区画される３個の開口部（開口部２１７Ａ、２１７Ｂ、２１７Ｃ）を有している。
【００２９】
これらの開口部２１７に対して少なくとも一部が連通する孔部が、メインキャビネット２１Ａの上面に形成されている。具体的には、開口部２１７Ａに連通する孔部２５Ａ、開口部２１７Ｂに連通する孔部２５Ｂ及び開口部２１７Ｃに連通する孔部２５Ｃが、メインキャビネット２１Ａに設けられている。開口部２１７及び孔部２５を介して、スピーカーユニット２０３から再生される音がスピーカー装置５の外部に向けて再生される。この際に、スピーカーユニット２０３から再生される音の放射方向が、ディフューザー２０１により、上方に向かって周囲に拡散するように変更される。
【００３０】
バッフル板２０２は、全体としてリング形状を有している。バッフル板２０２は、スピーカーユニット２０３の音放射面の周囲にネジ止め等の適宜な方法により取り付けられる。
【００３１】
スピーカーユニット２０３は、例えば、ダイナミック型のスピーカーユニットであり、振動板と、磁気ギャップを有する磁気回路と、振動板に設けられたボイスコイル取付部に取り付けられるボビンと、ボビンに巻回されるコイルとを有している（これらの構成の一部は不図示）。スピーカーユニット２０３からは、例えば中高域の音が再生される。スピーカーユニット２０３から低域を含む音が再生されても良い。実施の形態にかかるスピーカーユニット２０３の音の放射方向が上方向（先端キャビネット２１Ｂ側）となるように、スピーカーユニット２０３が配置されている。
【００３２】
制御基板ブロック２０４は、スピーカーユニット２０３を収容する箱状の構成と、スピーカーユニット２０３に供給されるオーディオ信号に対して種々の音響信号処理を行うＩＣ等が実行された制御基板とが一体化されたものである。制御基板ブロック２０４に対してスピーカーユニット２０３が収容され、保持される。
【００３３】
バッテリ２０５は、スピーカー装置５の各部に電力を供給する電源である。バッテリ２０５としては、リチウムイオン電池等の充放電可能な二次電池を適用することができる。これにより、スピーカー装置５を任意の場所で使用することが可能となる。バッテリ２０５は、一次電池であっても良い。また、スピーカー装置５は、商用電源とコードで接続され、商用電源により駆動されても良い。バッテリ保持部２０６は、バッテリ２０５を所定位置で保持するためのものである。薄板状のバッテリ保持部２０６により、メインキャビネット２１Ａ内が上下に分割される。
【００３４】
パッシブラジエータ２０７は、オーディオ信号の再生に伴って振動し、主として低域の音を出力するものである。パッシブラジエータ２０７は、円形状の平坦部２２０、平坦部２２０の周縁に位置し上側に凸となるエッジ２２１及びエッジ２２１の周囲に位置し、金属等からなる外周縁部（フレーム）２２２を有している。平坦部２２０及びエッジ２２１は、イソブチエン・イソプレンゴム（ＩＩＲ）、アクリロニトリル・ブタジエンゴム（ＮＢＲ）等の加硫ゴムや無硫化ゴムを用いて一体的に形成されており、一体物が円形状の外周縁部２２２によって支持されている。
【００３５】
スペーサー２０８は、パッシブラジエータ２０７と制御基板２０９との間に、所定の間隙を確保するためのものである。
【００３６】
制御基板２０９は、プリント基板２３０及び金属板２３２を有している。プリント基板２３０には、パッシブラジエータ２０７の動作を制御するためのＩＣ等が実装される。金属板２３２は、プリント基板２３０の裏面（下側の面）にネジ止め等により固定されており、厚みが例えば１．５ｍｍ（ミリメートル）程度の板金である。
【００３７】
プリント基板２３０の周縁の所定位置からは、金属板２３２が有する４個の突起部（突起部２３１Ａ、２３１Ｂ、２３１Ｃ、２３１Ｄ）が上方に向かって突出している。４個の突起部２３１と、上述したパッシブラジエータ２０７の外周縁部２２２の所定位置とが、例えば、４個のスクリュードライバー（スクリュードライバー２４０Ａ、２４０Ｂ、２４０Ｃ、２４０Ｄ）を使用してスペーサー２０８を介して取り付けられる。かかる構成により、パッシブラジエータ２０７が動作することにより生じた振動を金属板２３２に伝搬させることができる。金属板２３２は、パッシブラジエータ２０７の音響グランドとなっている。
【００３８】
カバー部材２１０は、周縁が上方に突出している、皿状の形状を有している。カバー部材２１０内に制御基板２０９が収納、保持される。
【００３９】
ＮＦＣ基板２１１は、ＮＦＣの規格に応じた近距離無線を行うＩＣが実装された基板である。なお、近距離無線の規格は、ＮＦＣに限定されるものではなく、ＬＡＮ（Local Area Network）、Ｂｌｕｅｔｏｏｔｈ（登録商標）、Ｗｉ−Ｆｉ（登録商標）、またはＷＵＳＢ（Wireless USB）等であっても良い。また、スピーカー装置５と他の装置との間で、有線による通信が行われるようにしても良い。
【００４０】
底面カバー２１２は、メインキャビネット２１Ａの底面を閉塞するカバーである。底面カバー２１２は、ネジ止めや両面接着シート等を使用して取り付けられる。底面カバー２１２の裏面がスピーカー装置５の載置面となる。
【００４１】
図４に、メインキャビネット２１Ａ内に各構成が収容された状態が示されている。本実施の形態にかかるスピーカー装置５では、図４に示すように、筐体部１１、ディフューザー２０１及びスピーカーユニット２０３が、仮想的な軸ＶＡに対して略同軸となるように配置されている。略同軸とは、仮想的な軸ＶＡに対するずれが所定以下であることを意味する。
【００４２】
また、本実施の形態にかかるスピーカー装置５では、筐体部１１、ディフューザー２０１及びスピーカーユニット２０３以外の構成の重心についても、軸ＶＡに対するずれが所定以下とされており、メインキャビネット２１Ａ内において、各構成が中央寄りに配置されている。また、重量のある構成（例えば、バッテリ２０５）がメインキャビネット２１Ａ内において相対的に下側に配置されている。かかる構成により、スピーカー装置５の重心を低くすることができる。
【００４３】
［スピーカー装置の動作例］
次に、実施の形態にかかるスピーカー装置５の動作例について説明する。スピーカー装置５に対してオーディオ信号が入力される。オーディオ信号は、例えば、無線通信により供給される。有線によりオーディオ信号が供給されても良い。
【００４４】
入力されたオーディオ信号がスピーカーユニット２０３から再生される。スピーカーユニット２０３から再生された音はスピーカーユニット２０３の上方に位置されたディフューザー２０１により所定の放射方向へ向けて再生される。具体的には、ディフューザー２０１により音の放射方向が上方であって、且つ、スピーカー装置５の周囲に拡がる方向とされる。スピーカーユニット２０３から再生された音は、開口部２１７及び孔部２５を介して、スピーカー装置５の周囲に放音される。
【００４５】
一方、駆動回路部１１３から振動素子１１２に対してオーディオ信号に対応する駆動信号が入力されると、入力された駆動信号に応じて振動素子１１２が上下方向に伸縮する。振動素子１１２の伸縮に応じて、振動素子１１２に押し付けられている筐体部１１が振動される。筐体部１１が振動されると、例えば、高域の音響が出力される。このように、オーディオ信号がスピーカーユニット２０３から再生されると共に、筐体部１１の振動により再生される。筐体部１１の下側が加振され、振動が下側から上側に向かって伝搬されるので、筐体部１１の振動により発生する音は、上方に向かって拡がる。このように、筐体部１１、ディフューザー２０１及びスピーカーユニット２０３を略同軸上に配置した構成により、図１Ｂに模式的に示したように、スピーカーユニット２０３による音の放射方向と筐体部１１の振動により再生される音の放射方向とが略同一の方向となるようにすることができる。スピーカー装置５から３６０°方向に拡がるようにオーディオ信号が再生される。
【００４６】
さらに、オーディオ信号に対応するようにパッシブラジエータ２０７が駆動され、パッシブラジエータ２０７から低音が再生される。パッシブラジエータ２０７を用いることにより低音を増強することができる。パッシブラジエータ２０７により再生される低音は、スピーカー装置５の載置面（底面）と接触する面、即ち、スピーカー装置５が載置される机や床等の接地面に伝搬して拡がる。本実施の形態にかかるスピーカー装置５では、パッシブラジエータ２０７の動作により生じる振動が金属板２３２に伝搬することで金属板２３２が振動し、この振動がスピーカー装置５の載置面を介して接地面に伝搬する。パッシブラジエータ２０７と金属板２３２とが直接取り付けられ、且つ、金属板２３２が載置面の近傍、即ち、メインキャビネット２１Ａ内の下側に設けられているので、接地面に効率良く振動を伝搬させることができる。
【００４７】
また、振動素子１１２の振動方向及びパッシブラジエータ２０７の振動方向が、同一の方向（上下方向）とされている。従って、水平方向への力（テンション）がかかりづらくなり、振動素子１１２やパッシブラジエータ２０７の振動に応じて、スピーカー装置５が接地面を水平方向に移動してしまうことを防止することができる。
【００４８】
また、上述したように、本実施の形態にかかるスピーカー装置５は、メインキャビネット２１Ａ内に配置される構成を中央寄りに配置している。これにより、パッシブラジエータ２０７が接地面に対して上下方向に変位することに伴ってスピーカー装置５が接地面上を水平方向に移動してしまうことを防止することができる。
【００４９】
また、キャビネット２１の素材に比重の大きい亜鉛を使用し、スピーカー装置５の重心を低くすることにより、パッシブラジエータ２０７の動作にともなってスピーカー装置５が移動してしまうことを防止することができると共に、パッシブラジエータ２０７の動作に伴う振動を効率良く接地面に伝搬させることができる。
【００５０】
［信号処理部の構成例］
次に、スピーカー装置５が有する信号処理部（信号処理部５０）の構成例について説明する。図６は、信号処理部５０の構成例を示すブロック図である。信号処理部５０は、入力端子５１Ａ，５１Ｂ、アンプ５２，５３及び補正部５４を有している。入力端子５１Ａ，５１Ｂに対しては、例えば、２チャンネルのオーディオ信号が入力される。入力されたオーディオ信号は分岐され、アンプ５２及び補正部５４のそれぞれに供給される。アンプ５２は、オーディオ信号を増幅し、増幅したオーディオ信号をスピーカーユニット２０３に供給する。スピーカーユニット２０３からオーディオ信号が再生される。
【００５１】
ここで、振動素子１１２として圧電素子を使用した場合には、スピーカーユニット２０３と圧電素子との間の応答性の違いにより、それぞれにより空気中へ放射される音波のタイミングにずれが生じる場合がある。一般に、圧電素子がスピーカーユニット２０３より応答性が速いため、筐体部１１の振動による音の発生が速くなる。そこで、図６に示すように、信号処理部５０に補正部５４が設けられていても良い。補正部５４は、スピーカーユニット２０３による音の再生と振動素子１１２の振動による音の再生とが略同じタイミングとなるように、例えば、オーディオ信号を遅延させる補正（時間補正）を行う。補正部５４が、時間補正と共にオーディオ信号の位相を補正する処理を行っても良い。
【００５２】
補正部５４により補正されたオーディオ信号がアンプ５３により増幅される。増幅されたオーディオ信号が振動素子１１２に供給され、オーディオ信号に対応して振動素子１１２が振動する。なお、詳細な図示は省略しているが、補正部５４は、例えば、Ａ／Ｄ(Analog to Digital)、Ｄ／Ａ変換機能を有しており、上述した補正処理をデジタル信号処理により行う。なお、信号処理部５０が、他の公知の音響信号処理を行うようにしても良い。
【００５３】
かかる構成により得られる効果の一例について、図７を参照して説明する。図７は、所定のインパルス信号を入力したときの応答（インパルス応答）を示すグラフである。図７に示すグラフの横軸は時間軸を示し、縦軸はインパルス応答のレベル（大きさ）を示している。また、図７の実線のラインＬＮ１は補正部５４による補正処理が行われない場合のインパルス応答を示し、点線のラインＬＮ２は補正部５４による補正処理が行われた場合のインパルス応答を示している。図７に示すように、ラインＬＮ２で示される音響エネルギーがラインＬＮ１で示される音響エネルギーよりも大きくなっている。このように、補正部５４による補正処理を行うことにより音響エネルギーを最大化することができ、音質を向上させることができる。
【実施例】
【００５４】
次に、実施の形態の実施例について説明する。なお、本開示の内容が下記の実施例に限定されるものではない。【００５５】
図８に示すように、スピーカー装置５をターンテーブル上に寝かせた状態で載置し、鉛直方向及び水平方向に軸を設定する。スピーカー装置５の筐体部１１の先端（他方の端部）の先にマイクロフォンＭＩＣを配置し、マイクロフォンＭＩＣによりスピーカー装置５から再生される音を収音する。ターンテーブルを回転させることで、スピーカー装置５を３６０°方向に回転し、その結果、マイクロフォンＭＩＣで収音される音に対して評価を行った。なお、測定は、無響室で行った。【００５６】
図９Ａ及び図９Ｂは、周波数を一定とした再生音の角度毎の音圧レベルをグラフ化したものである。図９Ａは、周波数を中高音域（具体例として３ｋＨｚ）として設定し、図９Ｂは、周波数を高域（具体例として６ｋＨｚ）に設定した場合の結果を示している。中高音域の音はスピーカーユニット２０３により再生され、高域の音は筐体部１１を振動させることにより再生される。【００５７】
図９Ａ及び図９Ｂに示すように、いずれもスピーカー装置５の上方（例えば、０°〜３０°の範囲と３３０°〜０°の範囲）の音圧レベルが大きくなっている。かかる結果は、スピーカーユニット２０３から再生される音の放射方向と、筐体部１１を振動させることにより再生される音の放射方向とが略同一方向であることを示している。【００５８】
図１０は、実施の形態にかかるスピーカー装置を使用した、４ｋＨｚから１０ｋＨｚの音響インテンシティ測定結果の一例であり、ツィーター（ＴＷ）W側の音波の放射方向が斜め上へ向いていることがわかる。また、図１１Ａは、公知のスピーカー装置を使用した１ｋＨｚの音響インテンシティ測定結果であり、図１１Ｂは、実施の形態にかかるスピーカー装置を使用した１ｋＨｚの音響インテンシティ測定結果である。図１１Ａでは、下方向も音波が放射しているが、本実施の形態にかかるスピーカー装置によれば、ほぼすべての音波が斜め上へ向かっていることがわかる。このように、本実施の形態にかかるスピーカー装置によれば、上方向へ音を出す構成により、床面（接地面）による再生音への影響を少なくすることができる。具体的には、床面による不要な反射音により、再生音に反射音が混じり再生音が音響的に濁ってしまうことを防止することができる。【００５９】
＜変形例＞
以上、本開示の実施の形態について具体的に説明したが、本開示の内容は上述した実施の形態に限定されるものではなく、本開示の技術的思想に基づく各種の変形が可能である。【００６０】
上述した実施の形態では、スピーカーユニット２０３により再生される音の放射方向が上方向にされていたが、下方向（先端キャビネット２１Ｂが配置される側とは反対側）であっても良い。そして、音の放射方向側にディフューザーを配置し、当該ディフューザーによりスピーカーユニット２０３から再生された音が上方向に反射されるようにしても良い。【００６１】
上述した実施の形態では、デザイン性を考慮して筐体部１１を光透過性部材により構成したが、光不透過性部材で構成されても良い。光不透過性部材としては、金属、皮、木材、繊維、竹等を例示することができる。【００６２】
実施の形態で説明された振動素子やネジ止め等の個数、位置等は、あくまで例示に過ぎない。例えば、振動素子の個数は、３個未満でも良いし、３個より大きい数であっても良い。振動素子の個数を多くし、オーディオ信号の特性に応じて駆動信号を供給する対象の振動素子を動的に切り替えるようにしても良い。【００６３】
上述の実施の形態において挙げた構成、方法、工程、形状、材料及び数値などはあくまでも例に過ぎず、必要に応じてこれと異なる構成、方法、工程、形状、材料及び数値などを用いてもよい。上述した実施の形態および変形例は、適宜組み合わせることができる。【００６４】
本開示は、以下の構成も採ることができる。
（１）
第１音響再生部と第２音響再生部とを有し、
前記第１音響再生部は、
円筒状の筐体部と、
前記筐体部の一方の端部における端面を加振する加振部と
を有し、
前記第２音響再生部は、
スピーカーユニットと、
前記スピーカーユニットから再生される音の放射方向を変更するディフューザーと
を有し、
前記筐体部、前記スピーカーユニット及び前記ディフューザーが、所定の軸に対して略同軸となるように配置されており、
前記ディフューザーにより、前記スピーカーユニットから再生される音の放射方向が前記第１音響再生部による音の放射方向と略同一方向となるように構成されている
音響再生装置。
（２）
前記第２音響再生部は、キャビネットを有し、
前記キャビネットは、先端キャビネットとメインキャビネットとが連続的に形成された形状を有し、
前記先端キャビネットの内部に、前記加振部が収容されると共に、前記筐体部の一方の端部が収容されており、
前記メインキャビネットの内部に、前記先端キャビネットの側から、前記ディフューザーと、前記スピーカーユニットとが収容されている
（１）に記載の音響再生装置。
（３）
前記ディフューザーは複数の開口部を有し、前記メインキャビネットは前記複数の開口部に連通する複数の開口部を有している
（２）に記載の音響再生装置。
（４）
前記メインキャビネットの内部に、前記所定の軸に対して略同軸上に配置されるパッシブラジエータが収容されており、当該パッシブラジエータが動作することにより生じる振動が、前記メインキャビネットの載置面に伝搬するように構成されている
（２）又は（３）に記載の音響再生装置。
（５）
前記メインキャビネットの内部における前記載置面の近傍に金属板が収容されており、前記パッシブラジエータと前記金属板とが接続されている
（４）に記載の音響再生装置。
（６）
前記スピーカーユニットから再生される音の放射方向が、前記先端キャビネットに向かう側又は前記先端キャビネットが配置される側とは反対側となるように、前記メインキャビネットの内部に前記スピーカーユニットが収容されている
（１）から（５）までの何れかに記載の音響再生装置。
（７）
前記筐体部が光透過性部材により構成されている
（１）から（６）までの何れかに記載の音響再生装置。
（８）
前記筐体部内部における前記一方の端部付近に発光部が設けられている
（７）に記載の音響再生装置。
（９）
前記第１音響再生部及び前記第２音響再生部により再生される同一のオーディオ信号のうち、前記第１音響再生部に供給されるオーディオ信号を遅延させる遅延部を含む信号処理部を有する
（１）から（８）までの何れかに記載の音響再生装置。
（１０）
前記信号処理部は、前記第１音響再生部に供給されるオーディオ信号の位相を補正する位相補正部を含む
（９）に記載の音響再生装置。
（１１）
前記スピーカーユニットは、
振動板と、
磁気ギャップを有する磁気回路と、
前記振動板に設けられたボイルコイル取付部に取り付けられるボビンと、
前記ボビンに巻回されるコイルと
を有する
（１）から（１０）までの何れかに記載の音響再生装置。
（１２）
前記加振部は、複数の振動素子を有する
（１）から（１１）までの何れかに記載の音響再生装置。
【符号の説明】
【００６５】
５・・・スピーカー装置、１０・・・第１音響再生部、１１・・・筐体部、２０・・・第２音響再生部、２１・・・キャビネット、２１Ａ・・・メインキャビネット、２１Ｂ・・・先端キャビネット、２５Ａ，２５Ｂ，２５Ｃ・・・孔部、１１１・・・加振部、１１２Ａ，１１２Ｂ，１１２Ｃ・・・振動素子、２０１・・・ディフューザー、２０３・・・スピーカーユニット、２０７・・・パッシブラジエータ、２１７Ａ，２１７Ｂ，２１７Ｃ・・・開口部、２３１・・・金属板
【図１】
2020129443.tif 000003
【図２】
2020129443.tif 000004
【図３】
2020129443.tif 000005
【図４】
2020129443.tif 000006
【図５】
2020129443.tif 000007
【図６】
2020129443.tif 000008
【図７】
2020129443.tif 000009
【図８】
2020129443.tif 000010
【図９】
2020129443.tif 000011
【図１０】
2020129443.tif 000012
【図１１】
2020129443.tif 000013
【国際調査報告】
2020129443.tif 000014
2020129443.tif 000015
2020129443.tif 000016
2020129443.tif 000017
2020129443.tif 000018